【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
指向性マルチギガビット（DMG）局に対して、
ビーコン間隔内のビーコン送信間隔（BTI）においてDMGビーコンフレームを受信させ、前記DMGビーコンフレームは、基本サービスセット識別子（BSSID）と、アソシエーション・ビームフォーミング・トレーニング（A-BFT）応答アドレスサブフィールドを含むクラスタ化制御フィールドとを含み、前記A-BFT応答アドレスサブフィールドは、前記ビーコン間隔内に前記BTIに続くA-BFT期間の間に送信を許可されている少なくとも１つの局（STA）を示すアドレスを含み、
前記DMG局の媒体アクセス制御（MAC）アドレスが前記A-BFT応答アドレスサブフィールドの前記アドレスに等しい場合、又は前記A-BFT応答アドレスサブフィールドの前記アドレスが前記DMG局が属するグループのグループアドレスを含む場合、前記A-BFT期間において送信させるように構成された回路を有する装置。
【請求項２】
前記DMG局の前記MACアドレスが前記A-BFT応答アドレスサブフィールドの前記アドレスに等しい場合、又は前記A-BFT応答アドレスサブフィールドの前記アドレスが前記DMG局が属する前記グループの前記グループアドレスを含む場合にのみ、前記DMG局に対して、前記A-BFT期間において送信させる、請求項１に記載の装置。
【請求項３】
前記A-BFT応答アドレスサブフィールドは、48ビットの長さである、請求項１に記載の装置。
【請求項４】
前記A-BFT期間は、前記BTIと通知送信間隔（ATI）との間にある、請求項１に記載の装置。
【請求項５】
前記A-BFT応答アドレスサブフィールドは、個々の局のアドレスと、局のグループのグループアドレスとを含むグループから選択されたアドレスを含む、請求項１ないし４のうちいずれか１項に記載の装置。
【請求項６】
少なくとも１つのアンテナと、受信機と、送信機とを含む、請求項１ないし４のうちいずれか１項に記載の装置。
【請求項７】
指向性マルチギガビット（DMG）局を含む無線通信システムであって、
基本サービスセット識別子（BSSID）と、アソシエーション・ビームフォーミング・トレーニング（A-BFT）応答アドレスサブフィールドを含むクラスタ化制御フィールドとを含むDMGビーコンフレームを生成する手段であり、前記A-BFT応答アドレスサブフィールドは、ビーコン間隔においてビーコン送信間隔（BTI）に続くA-BFT期間の間に送信を許可されている局（STA）を示す手段と、
前記BTI期間において前記DMGビーコンフレームを送信する手段と
を有するシステム。
【請求項８】
前記A-BFT応答アドレスサブフィールドは、48ビットの長さである、請求項７に記載のシステム。
【請求項９】
前記A-BFT期間は、前記BTIと通知送信間隔（ATI）との間にある、請求項７に記載のシステム。
【請求項１０】
前記A-BFT応答アドレスサブフィールドは、個々の局のアドレスと、局のグループのグループアドレスとを含むグループから選択されたアドレスを含む、請求項７に記載のシステム。
【請求項１１】
前記A-BFT期間の間に前記STAからの送信を受信する手段を有する、請求項７に記載のシステム。
【請求項１２】
前記DMG局は、パーソナル基本サービスセットコントロールポイント（PCP）又はアクセスポイント（AP）局である、請求項７ないし１１のうちいずれか１項に記載のシステム。
【請求項１３】
前記DMG局は、少なくとも１つのアンテナと、受信機と、送信機とを含む、請求項７ないし１１のうちいずれか１項に記載のシステム。
【請求項１４】
１つ以上のプロセッサにより実行された場合、
指向性マルチギガビット（DMG）局において、ビーコン間隔内のビーコン送信間隔（BTI）においてDMGビーコンフレームを受信するステップであり、前記DMGビーコンフレームは、基本サービスセット識別子（BSSID）と、アソシエーション・ビームフォーミング・トレーニング（A-BFT）応答アドレスサブフィールドを含むクラスタ化制御フィールドとを含み、前記A-BFT応答アドレスサブフィールドは、前記ビーコン間隔内に前記BTIに続くA-BFT期間の間に送信を許可されている少なくとも１つの局（STA）を示すアドレスを含むステップと、
前記DMG局の媒体アクセス制御（MAC）アドレスが前記A-BFT応答アドレスサブフィールドの前記アドレスに等しい場合、又は前記A-BFT応答アドレスサブフィールドの前記アドレスが前記DMG局が属するグループのグループアドレスを含む場合、前記A-BFT期間において送信するステップと
を含む方法を行わせる命令を有するプログラム。
【請求項１５】
前記方法は、前記DMG局の前記MACアドレスが前記A-BFT応答アドレスサブフィールドの前記アドレスに等しい場合、又は前記A-BFT応答アドレスサブフィールドの前記アドレスが前記DMG局が属する前記グループの前記グループアドレスを含む場合にのみ、前記A-BFT期間において送信するステップを有する、請求項１４に記載のプログラム。
【請求項１６】
前記A-BFT応答アドレスサブフィールドは、48ビットの長さである、請求項１４に記載のプログラム。
【請求項１７】
前記A-BFT期間は、前記BTIと通知送信間隔（ATI）との間にある、請求項１４に記載のプログラム。
【請求項１８】
前記A-BFT応答アドレスサブフィールドは、個々の局のアドレスと、局のグループのグループアドレスとを含むグループから選択されたアドレスを含む、請求項１４ないし１７のうちいずれか１項に記載のプログラム。
【請求項１９】
請求項１４ないし１８のうちいずれか１項に記載のプログラムを記憶した記憶媒体。
【請求項２０】
基本サービスセット識別子（BSSID）と、アソシエーション・ビームフォーミング・トレーニング（A-BFT）応答アドレスサブフィールドを含むクラスタ化制御フィールドとを含む指向性マルチギガビット（DMG）ビーコンフレームを生成するステップであり、前記A-BFT応答アドレスサブフィールドは、ビーコン間隔においてビーコン送信間隔（BTI）に続くA-BFT期間の間に送信を許可されている局（STA）を示すステップと、
前記BTI期間において前記DMGビーコンフレームを送信するステップと
を有する無線通信方法。
【請求項２１】
前記A-BFT応答アドレスサブフィールドは、48ビットの長さである、請求項２０に記載の方法。
【請求項２２】
前記A-BFT期間は、前記BTIと通知送信間隔（ATI）との間にある、請求項２０に記載の方法。
【請求項２３】
前記A-BFT応答アドレスサブフィールドは、個々の局のアドレスと、局のグループのグループアドレスとを含むグループから選択されたアドレスを含む、請求項２０に記載の方法。
【請求項２４】
前記A-BFT期間の間に前記STAからの送信を受信するステップを有する、請求項２０に記載の方法。
【請求項２５】
パーソナル基本サービスセットコントロールポイント（PCP）又はアクセスポイント（AP）局からDMGビーコンを送信するステップを有する、請求項２０に記載の方法。
【請求項２６】
１つ以上のプロセッサにより実行された場合、請求項２０ないし２５のうちいずれか１項に記載の方法を行わせる命令を有するプログラム。
【請求項２７】
請求項２６に記載のプログラムを記憶した記憶媒体。